(57)【特許請求の範囲】
【請求項１】
冷却装置を有するＬＥＤライト基板を備え、前記冷却装置が前記ＬＥＤライト基板の上方に位置するＬＥＤ-ＵＶ印刷インキ硬化装置であって、
筺体と、当該筺体の内室を、吸気室となる左部と排気室となる右部とに隔離する隔壁とをさらに備え、
前記筺体の底壁に縦方向開口部が設けられ、前記ＬＥＤライト基板が前記縦方向開口部の上に設置され、
前記縦方向開口部は、前記筺体の底壁の中央に形成され、
前記隔壁は、前記冷却装置の上端から前記筺体の上壁まで延伸するように設置され、
前記ＬＥＤライト基板の両側の前記筺体の底壁には、吸気孔と、排気孔とがそれぞれ設けられ、前記吸気孔、前記排気孔は、それぞれ、前記吸気室、前記排気室と連通し、
前記吸気孔を介して前記吸気室に空気が吸い込まれ、前記排気孔を介して前記排気室から空気が排出されるようになっている、ことを特徴とするＬＥＤ-ＵＶ印刷インキ硬化装置。
【請求項２】
前記筺体の後部における前記吸気室と前記排気室との間にファンが設置され、
前記ファンは、吸気口が前記吸気室に面し、排気口が前記排気室に面するように設置され、
前記ファンによって、前記筺体外の空気が前記吸気孔を介して前記吸気室に吸い込まれ、
前記ファンによって前記排気室内に吹き込まれた空気は、前記排気孔を介して前記筺体の外に排出されるようになっている、ことを特徴とする請求項１に記載のＬＥＤ-ＵＶ印刷インキ硬化装置。
【請求項３】
前記吸気孔および前記排気孔は、いずれも傾斜して設置され、前記吸気孔の、前記吸気室内に位置する一端が前記筺体の左壁に接近し、前記吸気孔の、前記吸気室外に位置する他端が前記縦方向開口部に接近するようになっており、
前記排気孔の、前記排気室内に位置する一端が前記筺体の右壁に接近し、前記排気孔の、前記排気室外に位置する他端が前記縦方向開口部に接近するようになっている、ことを特徴とする請求項１又は２に記載のＬＥＤ-ＵＶ印刷インキ硬化装置。
【請求項４】
前記吸気孔の前記筺体内に位置する上端口と、前記吸気孔の前記筺体外に位置する下端口とを結ぶ直線の延長線は、前記ＬＥＤライト基板の垂直中心線と交差し、両者のなす角度は４５°であり、
前記排気孔の前記筺体内に位置する上端口と、前記排気孔の前記筺体外に位置する下端口とを結ぶ直線の延長線は、前記ＬＥＤライト基板の垂直中心線と交差し、両者のなす角度は４５°である、ことを特徴とする請求項３に記載のＬＥＤ-ＵＶ印刷インキ硬化装置。
【請求項５】
冷却装置を有するＬＥＤライト基板を備え、前記冷却装置が前記ＬＥＤライト基板の上方に位置するＬＥＤ-ＵＶ印刷インキ硬化装置であって、
筺体と、当該筺体の内室を、吸気室となる右部と排気室となる左部とに隔離する隔壁とをさらに備え、
前記筺体の底壁に縦方向開口部が設けられ、前記ＬＥＤライト基板が前記縦方向開口部の上に設置され、
前記縦方向開口部は、前記筺体の底壁の一側に形成され、
前記隔壁は、前記冷却装置の右側における前記筺体の底壁から上壁まで延伸するように設置され、
前記筺体の他側の底壁には、排気孔と、吸気孔とがそれぞれ設置され、前記排気孔、前
記吸気孔は、それぞれ、前記排気室、前記吸気室と連通し、
前記排気孔を介して前記排気室から空気が排出され、前記吸気孔を介して前記吸気室に空気が吸い込まれるようになっており、
前記排気孔および前記吸気孔は、いずれも傾斜して設置され、前記排気孔が前記ＬＥＤライト基板の右壁に接近し、前記吸気孔が前記筺体の右壁に接近するようになっている、ことを特徴とするＬＥＤ-ＵＶ印刷インキ硬化装置。
【請求項６】
前記筺体の後部における前記排気室と前記吸気室との間にファンが設置され、
前記ファンは、排気口が前記排気室に面し、吸気口が前記吸気室に面するように設置され、
前記ファンによって前記吸気室から前記排気室内に吹き込まれた空気は、前記排気孔を介して前記筺体外に排出された後、再び前記吸気孔を介して前記ファンによって前記吸気室内に吸い込まれるようになっている、ことを特徴とする請求項５に記載のＬＥＤ-ＵＶ印刷インキ硬化装置。
【請求項７】
前記排気孔の前記筺体内に位置する上端口と、前記排気孔の前記筺体外に位置する下端口とを結ぶ直線の延長線は、前記吸気孔の前記筺体内に位置する上端口と、前記吸気孔の前記筺体外に位置する下端口とを結ぶ直線の延長線に直交するようになっていることを特徴とする請求項５に記載のＬＥＤ-ＵＶ印刷インキ硬化装置。
【請求項８】
前記吸気室の前端における前記筺体の前壁には、排気貫通孔が設けられていることを特徴とする請求項１乃至７のいずれか１つに記載のＬＥＤ-ＵＶ印刷インキ硬化装置。
【請求項９】
前記ＬＥＤライト基板は、前記縦方向開口部に移動可能に嵌め込まれていることを特徴とする請求項１乃至８のいずれか１つに記載のＬＥＤ-ＵＶ印刷インキ硬化装置。
【請求項１０】
前記縦方向開口部の両側の前記筺体の底壁には、いずれも縦方向溝が設けられ、
前記ＬＥＤライト基板の両側辺は、それぞれ、前記縦方向溝内に嵌め込まれて、前後に移動可能になっていることを特徴とする請求項１乃至９のいずれか１つに記載のＬＥＤ-ＵＶ印刷インキ硬化装置。
【発明の詳細な説明】
【技術分野】
【０００１】
本発明は、印刷装置に属し、特に、ＬＥＤ-ＵＶ印刷インキ硬化装置に関する。
【背景技術】
【０００２】
ＵＶ印刷分野におけるＬＥＤライトの応用技術の発展に伴い、従来のハロゲンライトの代わりにＬＥＤライトを用いてＵＶインキを硬化する硬化装置が広く採用されるようになっている。このような硬化装置は、ＬＥＤ面光源のエネルギ消費量が低く（例えば、エネルギ消費量がハロゲンライトの２５％程度）、波長が安定であり、安全性が高く、寿命が長いなどの長所を有している。
【発明の概要】
【発明が解決しようとする課題】
【０００３】
しかしながら、現在使用されている硬化装置では、硬化速度が低く、使用される溶剤の揮発物が作業環境に広がって空気汚染を引き起こすことがあり、これに起因して、作業員の健康に悪影響を与えるだけではなく、作業員のモチベーションを低下させるため、作業効率が大幅に低下する恐れがある。
【０００４】
本発明は、このような状況に鑑みてなされたものであって、硬化速度の向上、作業環境の浄化、空気汚染の低減、および作業効率の向上を実現することが可能なＬＥＤ-ＵＶ印刷インキ硬化装置を提供することを目的とする。
【課題を解決するための手段】
【０００５】
上記目的を達成するため、本発明は、ＬＥＤ-ＵＶ印刷インキ硬化装置を提供する。当該装置は、冷却装置を有するＬＥＤライト基板を備え、前記冷却装置が前記ＬＥＤライト基板の上方に位置するＬＥＤ-ＵＶ印刷インキ硬化装置であって、筺体と、当該筺体の内室を、吸気室となる左部と排気室となる右部とに隔離する隔壁とをさらに備え、前記筺体の底壁に縦方向開口部が設けられ、前記ＬＥＤライト基板が前記縦方向開口部の上に設置され、前記縦方向開口部は、前記筺体の底壁の中央に形成され、前記隔壁は、前記冷却装置の上端から前記筺体の上壁まで延伸するように設置され、前記ＬＥＤライト基板の両側の前記筺体の底壁には、吸気孔と、排気孔とがそれぞれ設けられ、前記吸気孔、前記排気孔は、それぞれ、前記吸気室、前記排気室と連通し、前記吸気孔を介して前記吸気室に空気が吸い込まれ、前記排気孔を介して前記排気室から空気が排出されるようになっていることを特徴としている。この構成によれば、ＬＥＤライト基板を用いてＵＶインキの硬化を行うと同時に、排気室から排出された空気（加熱された空気）をＵＶインキの硬化に利用するため、ＵＶ印刷の硬化速度を高くすることができる。
【０００６】
上記本発明に係るＬＥＤ-ＵＶ印刷インキ硬化装置において、好ましくは、前記筺体の後部における前記吸気室と前記排気室との間にファンが設置され、前記ファンは、吸気口が前記吸気室に面し、排気口が前記排気室に面するように設置され、前記ファンによって、前記筺体外の空気が前記吸気孔を介して前記吸気室に吸い込まれ、前記ファンによって前記排気室内に吹き込まれた空気は、前記排気孔を介して前記筺体の外に排出されるようになっている、ことを特徴としている。
【０００７】
上記本発明に係るＬＥＤ-ＵＶ印刷インキ硬化装置において、好ましくは、前記吸気室の前端における前記筺体の前壁には、排気貫通孔が設けられている。この構成によれば、ＵＶインキおよびその溶剤の揮発物などが吸気室に吸い込まれ、例えば換気装置等によって、排気貫通孔を介して戸外に排出することができるため、作業環境が効果的に浄化され、空気汚染が低減される。その結果、作業員が快適に作業することができるため、作業効率の向上を図ることができる。
【０００８】
上記本発明に係るＬＥＤ-ＵＶ印刷インキ硬化装置において、好ましくは、前記吸気孔および前記排気孔は、いずれも傾斜して設置され、前記吸気孔の、前記吸気室内に位置する一端が前記筺体の左壁に接近し、前記吸気孔の、前記吸気室外に位置する他端が前記縦方向開口部に接近するようになっており、前記排気孔の、前記排気室内に位置する一端が前記筺体の右壁に接近し、前記排気孔の、前記排気室外に位置する他端が前記縦方向開口部に接近するようになっている。
【０００９】
上記本発明に係るＬＥＤ-ＵＶ印刷インキ硬化装置において、好ましくは、前記ＬＥＤライト基板は、前記縦方向開口部に移動可能に嵌め込まれている。
【００１０】
上記本発明に係るＬＥＤ-ＵＶ印刷インキ硬化装置において、好ましくは、前記縦方向開口部の両側の前記筺体の底壁には、いずれも縦方向溝が設けられ、前記ＬＥＤライト基板の両側辺は、それぞれ、前記縦方向溝内に嵌め込まれて、前後に移動することが可能になっている。
【００１１】
上記本発明に係るＬＥＤ-ＵＶ印刷インキ硬化装置において、好ましくは、前記吸気孔の前記筺体内に位置する上端口と、前記吸気孔の前記筺体外に位置する下端口とを結ぶ直線の延長線は、前記ＬＥＤライト基板の垂直中心線と交差し、両者のなす角度は４５°であり、前記排気孔の前記筺体内に位置する上端口と、前記排気孔の前記筺体外に位置する下端口とを結ぶ直線の延長線は、前記ＬＥＤライト基板の垂直中心線と交差し、両者のなす角度は４５°である。この構成によれば、筺体内の空気の循環効率が高くなるという効果が得られる。
【００１２】
また、上記目的を達成するため、本発明は、さらに、以下のＬＥＤ-ＵＶ印刷インキ硬化装置を提供する。当該装置は、冷却装置を有するＬＥＤライト基板を備え、前記冷却装置が前記ＬＥＤライト基板の上方に位置するＬＥＤ-ＵＶ印刷インキ硬化装置であって、筺体と、当該筺体の内室を、吸気室となる右部と排気室となる左部とに隔離する隔壁とをさらに備え、前記筺体の底壁に縦方向開口部が設けられ、前記ＬＥＤライト基板が前記縦方向開口部の上に設置され、前記縦方向開口部は、前記筺体の一側の底壁に形成され、前記隔壁は、前記冷却装置の右側における前記筺体の底壁から上壁まで延伸するように設置され、前記筺体の他側の底壁には、排気孔と、吸気孔とがそれぞれ設置され、前記排気孔、前記吸気孔は、それぞれ、前記排気室、前記吸気室と連通し、前記排気孔を介して前記排気室から空気が排出され、前記吸気孔を介して前記吸気室に空気が吸い込まれるようになっており、前記排気孔および前記吸気孔は、いずれも傾斜して設置され、前記排気孔が前記ＬＥＤライト基板の右壁に接近し、前記吸気孔が前記筺体の右壁に接近するようになっていることを特徴としている。この構成によれば、ＬＥＤライト基板を用いてＵＶインキの硬化を行うと同時に、排気室から排出された空気（加熱された空気）をＵＶインキの硬化に利用するため、ＵＶ印刷の硬化速度を高くすることができる。
【００１３】
上記本発明に係るＬＥＤ-ＵＶ印刷インキ硬化装置において、好ましくは、前記筺体の後部における前記排気室と前記吸気室との間にファンが設置され、前記ファンは、排気口が前記排気室に面し、吸気口が前記吸気室に面するように設置され、前記ファンによって前記吸気室から前記排気室内に吹き込まれた空気は、前記排気孔を介して前記筺体外に排出された後、再び前記吸気孔を介して前記ファンによって前記吸気室内に吸い込まれるようになっている。
【００１４】
上記本発明に係るＬＥＤ-ＵＶ印刷インキ硬化装置において、好ましくは、前記吸気室の前端における前記筺体の前壁には、排気貫通孔が設けられている。この構成によれば、ＵＶインキおよびその溶剤の揮発物などが吸気室に吸い込まれ、例えば換気装置等によって、排気貫通孔を介して戸外（外部）に排出することができるため、作業環境が効果的に浄化され、空気汚染が低減される。その結果、作業員が快適に作業することができるため、作業効率の向上を図ることができる。
【００１５】
また、上記本発明に係るＬＥＤ-ＵＶ印刷インキ硬化装置において、好ましくは、前記ＬＥＤライト基板は、前記縦方向開口部に移動可能に嵌め込まれている。
【００１６】
また、上記本発明に係るＬＥＤ-ＵＶ印刷インキ硬化装置において、好ましくは、前記縦方向開口部の両側の前記筺体の底壁には、いずれも縦方向溝が設けられ、前記ＬＥＤライト基板の両側辺は、それぞれ、前記縦方向溝内に嵌め込まれて、前後に移動可能になっている。
【００１８】
また、上記本発明に係るＬＥＤ-ＵＶ印刷インキ硬化装置において、好ましくは、前記排気孔の前記筺体内に位置する上端口と、前記排気孔の前記筺体外に位置する下端口とを結ぶ直線の延長線は、前記吸気孔の前記筺体内に位置する上端口と、前記吸気孔の前記筺体外に位置する下端口とを結ぶ直線の延長線に直交するようになっている。
【００１９】
また、上記本発明に係るＬＥＤ-ＵＶ印刷インキ硬化装置において、前記ファンは、熱風を吹き出すことができるファンとしてもよく、前記排気貫通孔に換気装置を接続してもよく、前記排気孔、前記吸気孔は、１つ以上に規則的に配列したものであってもよい。
【発明の効果】
【００２０】
上述した本発明のＬＥＤ-ＵＶ印刷インキ硬化装置によれば、ＬＥＤライト基板を用いてＵＶインキの硬化を行うと同時に、排気室から排出された空気（加熱された空気）をＵＶインキの硬化に利用するため、ＵＶ印刷の硬化速度を高くすることができる。また、ＵＶインキおよびその溶剤の揮発物などが吸気室に吸い込まれ、例えば換気装置等によって、排気貫通孔を介して戸外に排出することができるため、作業環境が効果的に浄化され、空気汚染が低減される。その結果、作業員が快適に作業することができるため、作業効率の向上を図ることができる。
【図面の簡単な説明】
【００２１】
【図１】図１は、本発明の第１の実施の形態に係るＬＥＤ-ＵＶ印刷インキ硬化装置の内部を示す斜視図である。
【図２】図２は、図１のＬＥＤ-ＵＶ印刷インキ硬化装置（上壁あり）のＡ−Ａ線で切断した断面を示す斜視図である。
【図３】図３は、図１のＬＥＤ-ＵＶ印刷インキ硬化装置（上壁あり）のＢ−Ｂ線で切断した断面を示す斜視図である。
【図４】図４は、図１を１８０°反転したＬＥＤ-ＵＶ印刷インキ硬化装置を示す斜視図である。
【図５】図５は、本発明の第２の実施の形態に係るＬＥＤ-ＵＶ印刷インキ硬化装置の内部を示す斜視図である。
【図６】図６は、図５中のＬＥＤ-ＵＶ印刷インキ硬化装置（上壁あり）のＡ−Ａ線で切断した断面を示す斜視図である。
【図７】図７は、図５のＬＥＤ-ＵＶ印刷インキ硬化装置（上壁あり）のＢ−Ｂ線で切断した断面を示す斜視図である。
【図８】図８は、図５を１８０°反転したＬＥＤ-ＵＶ印刷インキ硬化装置を示す斜視図である。
【発明を実施するための形態】
【００２２】
以下、本発明の各実施の形態について図面を参照して説明する。
【００２３】
＜第１の実施の形態＞
本発明の第１の実施の形態として、ＬＥＤ-ＵＶ印刷インキ硬化装置は、図１〜４に示すように、冷却装置１１を有するＬＥＤライト基板１と、筺体２とを備えている。冷却装置１１は、ＬＥＤライト基板１の上方に配置されている。筺体２の底壁２１の中央には、縦方向開口部２１１が形成されている。縦方向開口部２１１の両側および筺体２の底壁２１には、いずれも、縦方向溝２１２が設けられている。ＬＥＤライト基板１の両側辺は、それぞれ、縦方向溝２１２内に嵌められて、前後に移動することが可能になっている。そうすることによって、ＬＥＤライト基板１およびその冷却装置１１などのメンテナンスが容易になっている。
【００２４】
図３に示すように、ＬＥＤライト基板１の冷却装置１１の上端と、筺体２の上壁２２との間に、縦方向に沿って冷却装置１１の上端から筺体２の上壁２２まで延伸する隔壁３が設置されている。当該隔壁３によって、筺体２の内室は、左部と右部とに隔離されており、左部は吸気室２Ａとなり、右部は排気室２Ｂとなっている。ＬＥＤライト基板１の両側の筺体２の底壁２１には、それぞれ、複数の通気孔が設けられている。つまり、左部の吸気室２Ａの底壁２１には、間隔を開けて一列に並んだ５つの吸気孔２１３が設けられており、右部の排気室２Ｂの底壁２１には、間隔を開けて一列に並んだ５つの排気孔２１４が設けられている。
【００２５】
吸気孔２１３および排気孔２１４は、いずれも傾斜して設置され、その傾斜角度が４５°になっている。即ち、吸気孔２１３の底壁２１内に位置する上端口と、吸気孔２１３の底壁２１外に位置する下端口とを結ぶ直線の延長線は、ＬＥＤライト基板１の垂直中心線と交差し、両者のなす角度が４５°である。同様に、排気孔２１４の底壁２１内に位置する上端口と、排気孔２１４の底壁２１外に位置する下端口とを結ぶ直線の延長線は、ＬＥＤライト基板１の垂直中心線と交差し、両者のなす角度が４５°である。つまり、吸気孔２１３の吸気室２Ａ内に位置する一端は、筺体２の左壁２３に接近しており、吸気孔２１３の吸気室２Ａ外に位置する他端は、縦方向開口部２１１に接近している。同様に、排気孔２１４の排気室２Ｂ内に位置する一端は、筺体２の右壁２４に接近し、排気孔２１４の排気室２Ｂ外に位置する他端は、縦方向開口部２１１に接近している。
【００２６】
図１に示すように、冷却装置１１の冷却水配管１１１は、筺体２の前部に取り付けられている。また、図２に示すように、筺体２の後部における吸気室２Ａと排気室２Ｂとの間にファン４が設置されており、当該ファン４は、吸気口が吸気室２Ａに面し、排気口が排気室２Ｂに面するように設置されている。さらに、図４に示すように、吸気室２Ａの前端における筺体２の前壁２５には、図示しない換気装置を接続するための排気貫通孔５が設けられている。
【００２７】
ファン４の働きによって、筺体２の底壁２１外にあるＬＥＤライト基板１の下方のＵＶ印刷物の表面から揮発した揮発ガスを、吸気孔２１３を介して吸気室２Ａ内に吸い込んで、そして、換気装置の働きによって、吸気室２Ａ内の空気を排気貫通孔５から戸外に排出することができる。これにより、ＵＶインキや、その溶剤の揮発物などが吸気室２Ａに吸い込まれ、換気装置によって、排気貫通孔５を介して戸外に排出することができるため、作業環境が効果的に浄化され、空気汚染が低減される。その結果、作業員が快適に作業することができるため、作業効率の向上を図ることができる。
【００２８】
また、ファン４によって排気室２Ｂに排出された空気は、排気孔２１４を介して、筺体２の底壁２１の外部に排出されるため、ＬＥＤライト基板１の下方にあるＵＶ印刷物表面を通過して、ＵＶ印刷の硬化速度を向上させることができる。このように、ＬＥＤライト基板１を用いてＵＶインキの硬化を行うと同時に、排気室２Ｂから排出された空気（加熱された空気）をＵＶインキの硬化に利用するため、ＵＶ印刷の硬化速度を高くすることができる。さらに、ファン４に電気加熱装置を増設すれば、ファン４から熱風を発生することができるため、より簡単にＵＶ印刷の硬化速度を向上させることができる。
【００２９】
＜第２の実施の形態＞
本発明の第２の実施の形態として、ＬＥＤ-ＵＶ印刷インキ硬化装置は、図５〜８に示すように、冷却装置１１を有するＬＥＤライト基板１と、筺体２とを備えている。冷却装置１１は、ＬＥＤライト基板１の上方に配置されている。筺体２の底壁２１の中央には、縦方向開口部２１１が形成されている。縦方向開口部２１１の両側および筺体２の底壁２１には、いずれも、縦方向溝２１２が設けられている。ＬＥＤライト基板１の両側辺は、それぞれ、縦方向溝２１２内に嵌められて、前後に移動することが可能になっている。そうすることによって、ＬＥＤライト基板１およびその冷却装置１１などのメンテナンスが容易になっている。
【００３０】
図７に示すように、ＬＥＤライト基板１の冷却装置１１の右側から筺体２の右側壁２２またの空間内に、縦方向に沿って筺体２の底壁２１から上壁２２まで延伸する隔壁３が設置されている。当該隔壁３によって、筺体２の内室は、左部と右部とに隔離されており、左部は排気室２Ｂとなり、右部は吸気室２Ａとなっている。ＬＥＤライト基板１の右側の筺体２の底壁２１には、２列の通気孔が設けられている。つまり、左部の排気室２Ｂの底壁２１には、間隔を開けて一列に並んだ４つ排気孔２１４が設けられており、右部の吸気室２Ａの底壁２１には、間隔を開けて一列に並んだ４つの吸気孔２１３が設けられている。なお、図７において、水平方向の右を指している矢印は、紙の進行方向を指している。
【００３１】
図７に示すように、排気孔２１４および吸気孔２１３は、いずれも傾斜して設置され、その傾斜角度が４５°になっている。即ち、排気孔２１４の底壁２１内位置する上端口と、排気孔２１４の底壁２１外に位置する下端口とを結ぶ直線の延長線は、隔壁３の中心線と交差し、両者のなす角度が４５°である。同様に、吸気孔２１３の底壁２１内に位置する上端口と、吸気孔２１３の底壁２１外に位置する下端口とを結ぶ直線の延長線は、隔壁３の中心線と交差し、両者のなす角度が４５°である。つまり、排気孔２１４の排気室２Ｂ内に位置する一端は、縦方向開口部２１１に接近しており、排気孔２１４の排気室２Ｂ外に位置する他端は、隔壁３に接近している。吸気孔の吸気室２Ａ内に位置する一端は、筺体２の右壁２４に接近しており、吸気孔２１３の吸気室２Ａ外に位置する他端は、隔壁３に接近している。
【００３２】
図５に示すように、冷却装置１１の冷却水配管１１１は、筺体２の前部に取り付けられている。また、図６に示すように、筺体２の後部における排気室２Ｂと吸気室２Ａとの間にファン４が設置されており、当該ファン４は、吸気口が吸気室２Ａに面し、排気口が排気室２Ｂに面するように設置されている。さらに、図８に示すように、吸気室２Ａの前端における筺体２の前壁２５には、図示しない換気装置を接続するための排気貫通孔５が設けられている。
【００３３】
ファン４の働きによって、筺体２の底壁２１外にあるＬＥＤライト基板１の下方のＵＶ印刷物の表面から揮発した揮発ガスを、吸気孔２１３を介して吸気室２Ａ内に吸い込んで、そして、換気装置の働きによって、吸気室２Ａ内の空気を排気貫通孔５から戸外に排出することができる。これにより、ＵＶインキや、その溶剤の揮発物などが吸気室２Ａに吸い込まれ、換気装置によって、排気貫通孔５を介して戸外に排出することができるため、作業環境が効果的に浄化され、空気汚染が低減される。その結果、作業員が快適に作業することができるため、作業効率の向上を図ることができる。
【００３４】
また、ファン４によって排気室２Ｂに排出された空気は、排気孔２１４を介して、筺体２の底壁２１の外部に排出されるため、ＬＥＤライト基板１の下方にあるＵＶ印刷物表面を通過して、ＵＶ印刷の硬化速度を向上させることができる。このように、ＬＥＤライト基板１を用いてＵＶインキの硬化を行うと同時に、排気室２Ｂから排出された空気（加熱された空気）をＵＶインキの硬化に利用するため、ＵＶ印刷の硬化速度を高くすることができる。さらに、ファン４に電気加熱装置を増設すれば、ファン４から熱風を発生することができるため、より簡単にＵＶ印刷の硬化速度を向上させることができる。
【００３５】
本発明でいう「左」と「右」、「前」と「後」は、単なる位置関係を説明するためのものであり、限定的な意味がない。実際の状況に合わせて、「左」と「右」を逆転、または、「前」と「後」を反転することが可能である。例えば、上記第１の実施の形態において、吸気室２Ａを右部、排気室２Ｂを左部とすることも可能である。また、上記第２の実施の形態において、吸気室２Ａを左部、排気室２Ｂを右部とすることも可能である。
【００３６】
また、上述した吸気孔２１３および排気孔２１４の数や、傾斜角度は一例であって、実際の状況に合わせて、吸気孔２１３および排気孔２１４の数や、傾斜角度を設定することが可能である。例えば、吸気孔２１３および排気孔２１４の傾斜角度を、３０°〜９０°に設定してもよい。但し、吸気孔２１３および排気孔２１４の傾斜角度を４５°とすることによって、筺体２内の空気の循環効率が高くなるという効果が得られる。
【００３７】
なお、上述した実施の形態は、本発明のあらゆる面を例示するものであり、本発明を限定するものではない。当業者であれば、上述した技術内容に基づいて、本発明の実施の形態を変更することが可能である。しかしながら、本発明の技術構想の範囲内におけるいかなる変更、置き換え、改良などは、本発明の保護範囲内に属する。
【符号の説明】
【００３８】
１        ＬＥＤライト基板
１１      冷却装置
１１１    冷却水配管
２        筺体
２Ａ      吸気室
２Ｂ      排気室
２１      底壁
２１１    縦方向開口部
２１２    縦方向溝
２１３    吸気孔
２１４    排気孔
２２      上壁
２３      左壁
２４      右壁
２５      前壁
３        隔壁
４        ファン
５        排気貫通孔
【図１】
0006741289.tif 000002
【図２】
0006741289.tif 000003
【図３】
0006741289.tif 000004
【図４】
0006741289.tif 000005
【図５】
0006741289.tif 000006
【図６】
0006741289.tif 000007
【図７】
0006741289.tif 000008
【図８】
0006741289.tif 000009